(57)【要約】【課題】木製のオープン階段の手摺笠木の上端部を、外観を損なうことなく、容易に且つ安定した状態で笠木接合面に固定できる手摺笠木の上端部固定構造を提供する。【解決手段】手摺笠木１３は、平坦な下面部１３ｂを備えると共に、下面部１３ｂから、階段勾配θに９０度を加えた角度θ’の凸状角部１３ｄを挟んで連接する、上端接合端面１３ｃを備える。固定金物１４は、手摺笠木１３の上端接合端面１３ｃに接合される端面接合プレート部１５と、端面接合プレート部１５に一体として設けられた、略二等辺三角形の断面形状を有する固定基台部１６とを有する。固定形基台部１６の一方の斜面部１６ｂは、階段勾配θに９０度を加えた角度θ”の凹状角部１４ｄを有する。凸状角部１３ｄに凹状角部１４ｄを重ね合わせて、固定金物１４を手摺笠木１３の上端部１３ａに位置決め固定し、この固定金物１４を介して手摺笠木１３の上端部１３ａを笠木接合面１８に固定する。【選択図】図３
2015194037.tif 000002
【特許請求の範囲】
【請求項１】
木製のオープン階段の側部に、手摺子に支持させて階段勾配に沿って斜めに傾斜して取り付けられる手摺笠木の上端部を、床部に対して垂直に立設する笠木接合面に固定金物を介して固定するための手摺笠木の上端部固定構造であって、
前記手摺笠木は、平坦な下面部を備えると共に、該平坦な下面部から、階段勾配に９０度を加えた角度の凸状角部を挟んで連接する上端接合端面を上端部に備えており、
前記固定金物は、前記上端接合端面に接合される端面接合プレート部と、該端面接合プレート部の一辺部に連続して一体として設けられた、略二等辺三角形の断面形状を有する固定基台部とを有しており、該固定基台部の背面部は、前記端面接合プレート部の背面部と面一に設けられていると共に、前記固定形基台部の一方の斜面部は、前記端面接合プレート部の正面部と、階段勾配に９０度を加えた角度の凹状角部を挟んで連接しており、
前記端面接合プレート部には、前記手摺笠木の前記上端部接合端面に向けて固定部材を打ち込むためのプレート部貫通孔が開口形成されていると共に、前記固定基台部には、他方の斜面部から前記笠木接合面に向けて固定部材を打ち込むための基台部貫通孔が開口形成されており、
前記手摺笠木の前記凸状角部に前記凹状角部を重ね合わせると共に、前記端面接合プレート部を前記上端部接合端面に密着させることで、前記固定金物を位置決めして、前記プレート部貫通孔に固定部材を打ち込むことにより、前記固定金物を前記上端部接合端面に接合した状態で、前記手摺笠木を、平坦な下面部を下方に配置すると共に、前記固定金物の背面部を前記笠木接合面の所定の固定位置に当接させて、前記固定基台部の前記基台部貫通孔に固定部材を打ち込むことによって、前記手摺笠木の上端部を、前記固定金物を介して前記笠木接合面に固定する手摺笠木の上端部固定構造。
【請求項２】
前記手摺笠木には、前記上端接合端面に、前記固定金物の前記端面接合プレート部と同様の形状となるように前記凸状角部から切削加工を施して形成された、前記端面接合プレート部の厚さと同様の深さのプレート収容掘込み部が設けられており、該プレート収容掘込み部に前記端面接合プレート部を納めた状態で、前記固定金物が前記手摺笠木の前記上端部接合端面に接合されている請求項１記載の手摺笠木の上端部固定構造。
【請求項３】
前記固定金物の前記プレート部貫通孔には、前記端面接合プレート部の背面部に向けて拡径する皿穴加工が施されており、前記基台部貫通孔には、前記固定基台部の他方の斜面部に向けて拡径する皿穴加工が施されており、これらの皿穴加工が施された部分に頭部を納めた状態で、前記固定部材が打ち込まれている請求項１記載の手摺笠木の上端部固定構造。
【請求項４】
請求項１〜３のいずれか１項記載の手摺笠木の上端部固定構造に用いる固定金物であって、
前記手摺笠木の前記上端接合端面に接合される端面接合プレート部と、該端面接合プレート部の一辺部に連続して一体として設けられた、略二等辺三角形の断面形状を有する固定基台部とを有しており、該固定基台部の背面部は、前記端面接合プレート部の背面部と面一に設けられていると共に、前記固定形基台部の一方の斜面部は、前記端面接合プレート部の表面部と、階段勾配に９０度を加えた角度の凹状角部を挟んで連接しており、
前記端面接合プレート部には、前記手摺笠木の前記上端部接合端面に向けて固定部材を打ち込むためのプレート部貫通孔が形成されていると共に、前記固定基台部には、他方の斜面部から前記笠木接合面に向けて固定部材を打ち込むための基台部貫通孔が形成されている固定金物。
【請求項５】
前記固定金物の前記プレート部貫通孔には、前記端面接合プレート部の背面部に向けて拡径する皿穴加工が施されており、前記基台部貫通孔には、前記固定基台部の他方の斜面部に向けて拡径する皿穴加工が施されている請求項４記載の固定金物。
【発明の詳細な説明】
【技術分野】
【０００１】
本発明は、手摺笠木の上端部固定構造に関し、特に、木製のオープン階段の側部に沿って斜めに傾斜して取り付けられる手摺笠木の上端部を、笠木接合面に固定金物を介して固定するための手摺笠木の上端部固定構造に関する。
【背景技術】
【０００２】
例えば木造の住宅建築物に設けられる木製の階段は、両側が側壁部によって挟まれた部分に設置されることが多いが、近年、階段の側部が解放された、オープン階段として設置される木製の階段も増えている。木製のオープン階段は、例えば一対の木製のササラ桁に支持させて複数の木製の段板を取り付け、蹴込板を設けることなく、段板の側端部やササラ桁が見える状態とすることによって、開放的で意匠に優れた階段として形成することが可能である（例えば、特許文献２、特許文献３参照）。
【０００３】
また、木製のオープン階段では、開放された側部から人が落下しないように、階段の側部に手摺を設ける必要があるが、オープン階段の手摺は、例えば段板の側端部から立設させた手摺子に支持させて、手摺笠木を取り付けることによって、開放的で意匠に優れた手摺として設けることが可能である。
【先行技術文献】
【特許文献】
【０００４】
【特許文献１】特開２００５−１３９６９４号公報
【特許文献２】特開２００７−３２０９１号公報
【特許文献３】特開平１１−９３３６８号公報
【発明の概要】
【発明が解決しようとする課題】
【０００５】
一方、木製のオープン階段の側部に、手摺子と手摺笠木とからなる手摺を設置するには、手摺が不安定な状態とならないように、手摺笠木の上端部や下端部を、上階の支柱や壁面等に固定したり、下階の床面等に固定することが望ましいが、木製のオープン階段としての意匠性が損なわれないように、手摺笠木として好ましくは木製の笠木を用いる場合には、特に上階の支柱や壁面等による笠木接合面に上端部を固定する作業に、多くの手間を要することになる。
【０００６】
すなわち、オープン階段の手摺笠木は、階段勾配に沿って斜めに傾斜して取り付けられるものであることから、これの上端部の斜めにカットされた端面接合部を、床部に対して垂直に立設している笠木接合面に、安定した状態で密着させて固定する作業に手間が掛かると共に、手摺笠木の上端部から笠木接合面に向けて打ち込まれる固定ビスや固定釘等の固定部材を、外観上目立たなくするために、手摺笠木の上端部に種々の加工を施す作業に手間が掛かることになる。
【０００７】
また、手摺の端部を壁面に固定する際に、固定金物を用いることで、取り付け強度を高めると共に、外観が損なわれないようにした手摺の取付け構造が開発されているが（例えば、特許文献３参照）、特許文献３の取付け構造によれば、手摺は、壁面に沿って取り付けられるものであるため、特許文献３の取付け構造は、木製のオープン階段の解放された側部に、手摺子に支持させて階段勾配に沿って斜めに傾斜して取り付けられる手摺笠木の上端部を、床部に対して垂直に立設している笠木接合面に固定するための構造として、そのまま採用することは困難である。
【０００８】
本発明は、木製のオープン階段の側部に、手摺子に支持させて階段勾配に沿って斜めに傾斜して取り付けられる手摺笠木の上端部を、外観を損なくことなく、且つ多くの手間を要することなく、容易に且つ安定した状態で笠木接合面に固定することのできる手摺笠木の上端部固定構造、及び該固定構造に用いる固定金物を提供することを目的とする。
【課題を解決するための手段】
【０００９】
本発明は、木製のオープン階段の側部に、手摺子に支持させて階段勾配に沿って斜めに傾斜して取り付けられる手摺笠木の上端部を、床部に対して垂直に立設する笠木接合面に固定金物を介して固定するための手摺笠木の上端部固定構造であって、前記手摺笠木は、平坦な下面部を備えると共に、該平坦な下面部から、階段勾配に９０度を加えた角度の凸状角部を挟んで連接する上端接合端面を上端部に備えており、前記固定金物は、前記上端接合端面に接合される端面接合プレート部と、該端面接合プレート部の一辺部に連続して一体として設けられた、略二等辺三角形の断面形状を有する固定基台部とを有しており、該固定基台部の背面部は、前記端面接合プレート部の背面部と面一に設けられていると共に、前記固定形基台部の一方の斜面部は、前記端面接合プレート部の正面部と、階段勾配に９０度を加えた角度の凹状角部を挟んで連接しており、前記端面接合プレート部には、前記手摺笠木の前記上端部接合端面に向けて固定部材を打ち込むためのプレート部貫通孔が開口形成されていると共に、前記固定基台部には、他方の斜面部から前記笠木接合面に向けて固定部材を打ち込むための基台部貫通孔が開口形成されており、前記手摺笠木の前記凸状角部に前記凹状角部を重ね合わせると共に、前記端面接合プレート部を前記上端部接合端面に密着させることで、前記固定金物を位置決めして、前記プレート部貫通孔に固定部材を打ち込むことにより、前記固定金物を前記上端部接合端面に接合した状態で、前記手摺笠木を、平坦な下面部を下方に配置すると共に、前記固定金物の背面部を前記笠木接合面の所定の固定位置に当接させて、前記固定基台部の前記基台部貫通孔に固定部材を打ち込むことによって、前記手摺笠木の上端部を、前記固定金物を介して前記笠木接合面に固定する手摺笠木の上端部固定構造を提供することにより、上記目的を達成したものである。
【００１０】
また、本発明の手摺笠木の上端部固定構造は、前記手摺笠木には、前記上端接合端面に、前記固定金物の前記端面接合プレート部と同様の形状となるように前記凸状角部から切削加工を施して形成された、前記端面接合プレート部の厚さと同様の深さのプレート収容掘込み部が設けられており、該プレート収容掘込み部に前記端面接合プレート部を納めた状態で、前記固定金物が前記手摺笠木の前記上端部接合端面に接合されていることが好ましい。
【００１１】
さらに、本発明の手摺笠木の上端部固定構造は、前記固定金物の前記プレート部貫通孔には、前記端面接合プレート部の背面部に向けて拡径する皿穴加工が施されており、前記基台部貫通孔には、前記固定基台部の他方の斜面部に向けて拡径する皿穴加工が施されており、これらの皿穴加工が施された部分に頭部を納めた状態で、前記固定部材が打ち込まれていることが好ましい。
【００１２】
また、本発明は、上記の手摺笠木の上端部固定構造に用いる固定金物であって、前記手摺笠木の前記上端接合端面に接合される端面接合プレート部と、該端面接合プレート部の一辺部に連続して一体として設けられた、略二辺三角形の断面形状を有する固定基台部とを有しており、該固定基台部の背面部は、前記端面接合プレート部の背面部と面一に設けられていると共に、前記固定形基台部の一方の斜面部は、前記端面接合プレート部の表面部と、階段勾配に９０度を加えた角度の凹状角部を挟んで連接しており、前記端面接合プレート部には、前記手摺笠木の前記上端部接合端面に向けて固定部材を打ち込むためのプレート部貫通孔が形成されていると共に、前記固定基台部には、他方の斜面部から前記笠木接合面に向けて固定部材を打ち込むための基台部貫通孔が形成されている固定金物を提供することにより、上記目的を達成したものである。
【００１３】
そして、本発明の固定金物は、前記固定金物の前記プレート部貫通孔には、前記端面接合プレート部の背面部に向けて拡径する皿穴加工が施されており、前記基台部貫通孔には、前記固定基台部の他方の斜面部に向けて拡径する皿穴加工が施されていることが好ましい。
【発明の効果】
【００１４】
本発明の手摺笠木の上端部固定構造、又は該固定構造に用いる固定金物によれば、木製のオープン階段の側部に、手摺子に支持させて階段勾配に沿って斜めに傾斜して取り付けられる手摺笠木の上端部を、外観を損なくことなく、且つ多くの手間を要することなく、容易に且つ安定した状態で笠木接合面に固定することができる。
【図面の簡単な説明】
【００１５】
【図１】本発明の好ましい一実施形態に係る手摺笠木の上端部固定構造を用いて形成されたオープン階段の斜視図である。
【図２】本発明の好ましい一実施形態に係る手摺笠木の上端部固定構造を用いて形成されたオープン階段の側面図である。
【図３】本発明の好ましい一実施形態に係る手摺笠木の上端部固定構造を説明する斜め下方か  ら視た斜視図、及び要部拡大斜視図である。
【図４】本発明の好ましい一実施形態に係る手摺笠木の上端部固定構造を説明する手摺笠木の上端部の斜視図である。
【図５】固定金物の正面図である。
【図６】固定金物の側面図である。
【図７】固定金物の背面図である。
【図８】図５のＡ−Ｂ−Ｃ−Ｄ−Ｅ−Ｆに沿った固定金物の断面図である。
【図９】上端部固定構造の他の形態を説明する手摺笠木の上端部の斜視図である。
【発明を実施するための形態】
【００１６】
本発明の好ましい一実施形態に係る手摺笠木の上端部固定構造１０（図３参照）は、図１〜図３に示すように、例えば木造の住宅建築物において、一階（下階）の床部２１から中二階（中上階）の床部２２に昇降するための木製の階段を、オープン階段２０として設ける際に、オープン階段２０の解放された側部に設置された手摺１１の手摺笠木１３の上端部１３ａを、中二階に設けられた手摺壁２４の支柱２４ａの上端部分を笠木接合面１８として、接合固定するための構造として採用されたものである。本実施形態の上端部固定構造１０は、後述する所定の形状を備える固定金物１４を用いることで、木製のオープン階段２０としての外観や意匠性を損なうことなく、簡易な構成によって、手摺笠木１３の上端部１３ａを、容易に且つ安定した状態で笠木接合面１５に固定することができるようになっている。
【００１７】
そして、本実施形態の手摺笠木の上端部固定構造１０は、木製のオープン階段２０の側部に、手摺子１２に支持させて階段勾配に沿って斜めに傾斜して取り付けられる手摺笠木１３の上端部１３ａを、床部２１，２２に対して垂直に立設する、例えば中二階に設けられた手摺壁２４の支柱２４ａの上端部分を笠木接合面１８として、固定金物１４を介して固定するための固定構造となっている。
【００１８】
図３〜図８に示すように、手摺笠木１３は、平坦な下面部１３ｂを備えると共に、この平坦な下面部１３ｂから、階段勾配θ（図２参照）に９０度を加えた角度θ’（図４参照）の凸状角部１３ｄを挟んで連接する上端接合端面１３ｃを上端部１３ａに備えている。固定金物１４は、手摺笠木１３の上端接合端面１３ｃに接合される端面接合プレート部１５と、この端面接合プレート部１５の一辺部に連続して一体として設けられた、略二等辺三角形の断面形状を有する固定基台部１６とを有しており（図５〜図８参照）、この固定基台部１６の背面部１６ａは、端面接合プレート部１５の背面部１５ａと面一に設けられていると共に、固定基台部１６の一方の斜面部１６ｂは、端面接合プレート部１５の表面部１５ｂと、階段勾配θに９０度を加えた角度θ”の凹状角部１４ｄを挟んで連接している。
【００１９】
固定金物１４の端面接合プレート部１５には、手摺笠木１３の上端部接合端面１３ｃに向けて、固定ビスや固定釘等の固定部材１７（図４参照）を打ち込むためのプレート部貫通孔１５ｄが複数開口形成されていると共に、固定基台部１６には、他方の斜面部１６ｃから笠木接合面１８に向けて固定部材１７を打ち込むための基台部貫通孔１６ｄが複数開口形成されている。手摺笠木１３の凸状角部１３ｄに凹状角部１４ｄを重ね合わせると共に、端面接合プレート部１５を上端部接合端面１３ｃに密着させることで、固定金物１４を位置決めして、プレート部貫通孔１５ｄに固定部材１７を打ち込むことにより、固定金物１４を上端部接合端面１３ｃに接合した状態で（図４参照）、手摺笠木１３を、平坦な下面部１３ｂを下方に配置すると共に、固定金物１４の背面部１５ａ，１６ａを笠木接合面１８の所定の固定位置に当接させて、固定基台部１６の基台部貫通孔１６ｄに固定部材１７を打ち込むことによって、手摺笠木１３の上端部１３ａを、固定金物１４を介して笠木接合面１８に固定するようになっている（図３参照）。
【００２０】
本実施形態では、木製のオープン階段２０は、図１及び図２に示すように、一対の木製のササラ桁２５に支持させて、複数の木製の段板２６を取り付けることにより、段板１２の側端部やササラ桁１１を見える状態とした、蹴込板のない開放的で意匠性に優れた階段として形成されている。本実施形態では、木製のオープン階段２０の一方の側部は、屋内の壁面に隣接して配置されていることで閉塞された状態になっており、他方の側部は解放された状態となっていることから、開放された側の側部から人が落下しないように、開放された側部に沿って、手摺笠木１３と手摺子１２とからなる手摺１１が設けられている。
【００２１】
オープン階段２０を構成する一対のササラ桁２５は、例えば多数の木材の端材を積層させて、接着剤を介して一体として接合した集成木材からなる。ササラ桁２５は、例えば工場加工によって、例えば３０〜１５０ｍｍ程度の桁幅方向の厚さを備えると共に、一階の床部２１と中二階の床部２２との間の段差面となっている突当り壁面の上端部を接合壁面２３として、この接合壁面２３と一階の床部２１との間に、例えば２０〜５６度程度の傾斜角度θで斜めに架設することが可能な長さを有するように形成されている。また、ササラ桁２５は、斜めに架設された際の上端部に、接合壁面２３に沿って配置される垂直な接合端面２５ａを備えると共に、下端部に、一階の床部２１に沿って配置される水平な載置端面２５ｂを備えるように形成されている。さらに、ササラ桁２５は、斜めに架設された際に、下辺部が、オープン階段２０の勾配に沿って直線状に斜めに延設するように形成されると共に、上辺部に、水平段部２５ｃと蹴込み段部２５ｄとからなる階段状の複数の段部を備えるように形成されている。
【００２２】
一対のササラ桁２５は、突当り壁面の上端部の接合壁面２３に接合端面２５ａを密着させた状態で、ホゾ加工部や接合金物を介した公知の接合方法によって、上端部が接合壁面２３に強固に接合固定されると共に、一階の床部２１に載置端面２５ｂを密着させた状態で、ホゾ加工部や接合金物を介した公知の接合方法によって、下端部が床部２１に強固に接合固定されることにより、一階の床部２１と接合壁面２３との間に、互いに平行に延設して安定した状態で取り付けられている。
【００２３】
ササラ桁２５に支持させて取り付けられる複数の段板２６は、例えば多数の木材の端材を積層させて、接着剤を介して一体として接合した集成木材からなる。段板１２は、例えば工場加工によって、例えば３０〜６０ｍｍ程度の厚さを備えると共に、例えば横幅が７５０〜１０００ｍｍ程度、縦幅が１５０〜３００ｍｍ程度の大きさの、横長矩形の平面形状を有するように形成されている。段板２６は、両側の側端部を、一対のササラ桁２５の水平段部２５ｃに各々載置することにより支持させて、一対のササラ桁２５に跨るようにして取り付けられる。各々の段板２６は、例えば両側の側端部の上面にダボ穴を形成し、このダボ穴の内部でササラ桁２５の水平段部２５ｃに向けて固定ビス等の固定部材を打ち込み、しかる後にダボ穴を埋木ダボ材で閉塞するといった公知の方法によって、各段部に各々固定することができる。
【００２４】
また、本実施形態では、各段の段板２６の解放側の側端部の上面に、手摺１１の手摺子１２の下端部を係止させるための手摺子係止穴（図示せず）が形成されている。この手摺子係止穴に下端部の係止ピン（図示せず）を係止することで、手摺子１２が、オープン階段２０の解放側の側部に、手摺笠木１３を下方から支持すると共に、各段板２６から立設した状態で一列に連設配置されて取り付けられる。
【００２５】
本実施形態では、手摺１１を構成する手摺子１２は、図１〜図３に示すように、左右一対の立て板１２ｂの上下の端部を平プレート１２ｃによって各々連結することで形成された、略縦長矩形の枠形状を有する本体部１２ａと、本体部１２ａの上下の平プレート１２ｃから上方又は下方に垂直に突出して設けられた、上下の取付けロッド部１２ｄとからなる、意匠性に優れた形態を備えている。下方の平プレート１２ｃから下方に突出する下方の取付けロッド部１２ｄの下端部には、上述の係止ピンが、下方に突出して設けられている。手摺子１２は、下方の取付けロッド部１２ｄの下端部の係止ピンを、段板２６の側端部に形成された手摺子係止穴に挿入係止すると共に、上方の取付けロッド部１２ｄの上端部を、例えば接合金物を介して手摺笠木１３の下面部１３ｂに接合固定することによって、手摺笠木１３を下方から支持した状態で、各段板２６から各々立設して複数取り付けられる。
【００２６】
手摺子１２と共に手摺１１を構成する手摺笠木１３は、本実施形態では、例えば多数の木材の端材を積層させて、接着剤を介して一体として接合した集成木材からなる。手摺笠木１３は、例えば工場加工によって、例えば縦横３０〜９０ｍｍ程度の大きさの矩形断面を備えるように形成されていることで、その下面部１３ｂが平坦な面となっていると共に、ササラ桁２５と同様の長さを有している。
【００２７】
ここで、手摺笠木１３は、少なくとも上端部１３ａにおいて、下面部１３ｂが平坦な面となっていれば良く、例えば上端部１３ａよりも下方部分の下面部１３ｂには、手摺子１２の上端部を接合する接合金物を納めるための、掘込み凹部等を設けておくこともできる。手摺笠木１３の上端部１３ａは、本実施形態の手摺笠木の上端部固定構造１０によって、中二階に設けられた手摺壁２４の支柱２４ａの上端部分による、笠木接合面１８に接合固定される。
【００２８】
また、手摺笠木１３の下端部１３ｅは、手摺笠木１３と同様の集成木材からなる下端部固定ロッド１９の上端部に、接着剤等を介して一体として接合されている。これによって、手摺笠木１３の下端部１３ｅは、下端部固定ロッド１９を介して一階の床部２１に固定される。下端部固定ロッド１９は、例えば最下段の段板２６の先端面に背面部を当接させて、ホゾ加工部や接合金物を介した公知の接合方法によって、下端部を床部２１に接合固定することで、手摺笠木１３の下端部１３ｅを安定した状態で支持することができるようになっている。
【００２９】
そして、手摺笠木１３の上端部１３ａを笠木接合面１８に接合固定するための本実施形態の手摺笠木の上端部固定構造１０では、図３及び図４に示すように、手摺笠木１３の凸状角部１３ｄに凹状角部１４ｄを重ね合わせると共に、端面接合プレート部１５を上端部接合端面１３ｃに密着させることで、固定金物１４を位置決めして、プレート部貫通孔１５ｄに固定部材１７を打ち込むことにより、固定金物１４を上端部接合端面１３ｃに接合する（図４参照）。しかる後に、手摺笠木１３を、平坦な下面部１３ｂを下方に配置すると共に、固定金物１４の背面部１５ａ，１６ａを笠木接合面１８の所定の固定位置に当接させた状態で、固定基台部１６の基台部貫通孔１６ｄに固定部材１７を、例えば電動ドライバー２７を用いて打ち込むことによって(図３参照）、手摺笠木１３の上端部１３ａを、固定金物１４を介して笠木接合面１８に容易に固定することができる。
【００３０】
ここで、本実施形態の手摺笠木の上端部固定構造１０に用いる固定金物１４は、図５〜図８に示すように、例えば金属製や合成樹脂製の成形品であって、手摺笠木１３の上端接合端面１３ｃに接合される、縦長矩形の正面形状を有する端面接合プレート部１５と、この端面接合プレート部１５の一方の短辺部に連続して一体として成形された、略二等辺三角形の断面形状を有する固定基台部１６とを有している。
【００３１】
端面接合プレート部１５は、例えば１〜６ｍｍ程度の厚さの平板形状の部分であって、手摺笠木１３の上端部１３ａの笠木接合面１８に納まる大きさとして、これよりも若干小さな、例えば縦幅が６０〜１２０ｍｍ程度、横幅が３０〜８９ｍｍ程度の大きさの、縦長矩形の正面形状を有している。端面接合プレート部１５には、これの表裏を貫通して、手摺笠木１３の上端部接合端面１３ｃに向けて固定ビス等の固定部材１７を打ち込むための、プレート部貫通孔１５ｄが３箇所に形成されている。
【００３２】
固定基台部１６は、端面接合プレート部１５の一方（下方）の短辺部に連続して一体として設けられた、マウンド形状の部分であって、頂部が平坦に面取りされた略二等辺三角形の断面形状を有すると共に、端面接合プレート部１５と同様の横幅の、横長矩形の正面形状を有している。固定基台部１６における、略二等辺三角形の断面形状の底辺部である背面部１６ａは、端面接合プレート部１５の背面部１５ａと面一に連続して設けられている。固定基台部１６の端面接合プレート部１５側の一方の斜面部１６ｂは、端面接合プレート部１５の表面部１５ｂと、階段勾配θに９０度を加えた角度θ”の凹状角部１４ｄを挟んで、くの字形状に折れ曲がるようにして連接している。固定基台部１６には、他方の斜面部１６ｃから笠木接合面１８に向けて、固定部材１７を打ち込むための基台部貫通孔１６ｄが、好ましくは他方の斜面部１６ｃから垂直な方向に貫通して、左右両側に２箇所に開口形成されている。
【００３３】
また、本実施形態では、固定金物１４のプレート部貫通孔１５ｄには、端面接合プレート部１５の背面部１５ａに向けて拡径する皿穴加工が施されていることで、皿穴加工部１５ｅが形成されている（図８参照）。固定金物１４の基台部貫通孔１６ｄには、固定基台部１６の他方の斜面部１６ｃに向けて拡径する皿穴加工が施されていることで、皿穴加工部１６ｅが形成されている。これらの皿穴加工が施された部分である皿穴加工部１５ｅ，１６ｅに、頭部を納めた状態で、固定部材１７を各々打ち込むことができるようになっている。
【００３４】
固定金物１４と共に本実施形態の手摺笠木の上端部固定構造１０を構成する、手摺笠木１３の上端接合端面１３ｃは、図４に示すように、手摺笠木１３の上端部１３ａを、平坦な下面部１３ｂに対して、階段勾配に９０度を加えた角度θ’で斜めにカットすることで、平坦な下面部１３ｂから、階段勾配に９０度を加えた角度θ’の凸状角部１３ｄを挟んで斜めに連接する、平坦な端面として形成されている。上端接合端面１３ｃは、例えば工場加工により手摺笠木１３の上端部１３ａを斜めにカットすることで、精度良く且つ容易に形成することができる。
【００３５】
そして、本実施形態の手摺笠木の上端部固定構造１０では、上述のように、手摺笠木１３の凸状角部１３ｄに凹状角部１４ｄを重ね合わせると共に、端面接合プレート部１５を上端部接合端面１３ｃに密着させることで、固定金物１４を位置決めして、プレート部貫通孔１５ｄに固定部材１７を打ち込むことにより、固定金物１４を上端部接合端面１３ｃに接合する（図４参照）。本実施形態では、手摺笠木１３の上端部接合端面１３ｃや固定金物１４は、予め工場加工等によって精度良く形成されていることから、固定金物１４を位置決めして手摺笠木１３の上端部１３ａに固定する作業を、容易に行うことが可能になる。
【００３６】
また、本実施形態の手摺笠木の上端部固定構造１０では、上述のように、上端部１３ａの固定金物１４を取り付けた手摺笠木１３を、平坦な下面部１３ｂを下方に配置すると共に、固定金物１４の背面部１５ａ，１６ａを笠木接合面１８の所定の固定位置に当接させた状態で、固定基台部１６の基台部貫通孔１６ｄに固定部材１７を打ち込むことによって、手摺笠木１３の上端部１３ａを、固定金物１４を介して笠木接合面１８に固定する。
【００３７】
本実施形態では、手摺笠木１３の上端接合端面１３ｃは、平坦な下面部１３ｂから、階段勾配θに９０度を加えた角度θ’の凸状角部１３ｄを挟んで連接しており、固定金物１４の固定基台部１６の一方の斜面部１６ｂは、端面接合プレート部１５の表面部１５ｂから、階段勾配θに９０度を加えた角度θ”の凹状角部１４ｄを挟んで連接しているので、手摺笠木１３を所定の階段勾配θとなるように斜めに延設させた状態で、手摺笠木１３の上端接合端面１３ｃに取り付けられた固定金物１４の背面部１５ａ，１６ａを、中二階に設けられた手摺壁２４の支柱２４ａの上端部分による笠木接合面１８の所定の位置に、容易に密着させて当接させることが可能になる。
【００３８】
また、手摺笠木１３の上端部１３ａの上端接合端面１３ｃを、固定金物１４を介して笠木接合面１８の所定の位置に当接させた状態では、固定金物１４の固定基台部１６の、基台部貫通孔１６ｄが形成された他方の斜面部１６ｃは、手摺笠木１３の上端接合端面１３ｃの直下部分の、手摺笠木１３の下面部１３ｂと笠木接合面１８とが鋭角に交差する角部分において、斜め下方に対向させて配置されることになる。この斜め下方に対向させて配置された他方の斜面部１６ｃに開口する基台部貫通孔１６ｄを介して、固定ビス等の固定部材１７を、笠木接合面１８に向けて、好ましくは斜めに傾斜して取り付けられた手摺笠木１３の延設方向又は略延設方向に、容易に打ち込むことが可能になる。基台部貫通孔１６ｄを、他方の斜面部１６ｃからこれと垂直な方向に貫通させて形成しておくことにより、基台部貫通孔１６ｄを介して、固定ビス等の固定部材１７を、笠木接合面１８に向けて、さらに容易に安定した状態で打ち込むことが可能になる。
【００３９】
さらに、固定部材１７が打ち込まれる基台部貫通孔１６ｄが開口する他方の斜面部１６ｃを備える固定基台部１６は、笠木接合面１８に接合された手摺笠木１３の上端接合端面１３ｃの直下部分における、鋭角に交差する手摺笠木１３の下面部１３ｂと笠木接合面１８との角部分に配置されて、外観上目立たない状他となっており、また固定金物１４の端面接合プレート部１５は、手摺笠木１３の上端接合端面１３ｃによって覆い隠された状態となっているので、固定金物１４や固定部材１７によって、木製のオープン階段２０の意匠性が損なわれるのを、効果的に回避することが可能になる。
【００４０】
これらによって、本実施形態によれば、木製のオープン階段２０の側部に、手摺子１２に支持させて階段勾配θに沿って斜めに傾斜して取り付けられる手摺笠木１３の上端部１３ａを、外観を損なくことなく、且つ多くの手間を要することなく、容易に且つ安定した状態で笠木接合面１８に固定することが可能になる。
【００４１】
なお、本発明は上記実施形態に限定されることなく種々の変更が可能である。例えば、本発明の上端部固定構造によって手摺笠木の上端部が固定される木製のオープン階段は、一階（下階）の床部から中二階（中上階）の床部に昇降するための階段である必要は必ずしも無く、一階（下階）の床部から二階（上階）の床部に昇降するためのオープン階段であっても良い。オープン階段は、これの両側の側部に、本発明の上端部固定構造によって手摺笠木の上端部が固定される手摺を設けたものであっても良い。
【００４２】
また、図９に示すように、手摺笠木１３の上端接合端面１３ｃに、固定金物１４の端面接合プレート部１５と同様の凹形状を有するように凸状角部１３ｄから切削加工を施して形成された、端面接合プレート部１５の厚さと同様の深さのプレート収容掘込み部１３ｅを設けておき、このプレート収容掘込み部１３ｅに端面接合プレート部１５を納めた状態で、固定金物１４を手摺笠木１３の上端部接合端面１３ｃに接合することもできる。これによって、手摺笠木１３の上端部１３ａを笠木接合面１８の所定の位置に固定した状態では、固定金物１４の端面接合プレート部１５は、その周端面を含めた全体が、手摺笠木１３の上端接合端面１３ｃによって覆い隠されることになるので、木製のオープン階段２０の意匠性が損なわれるのを、さらに効果的に回避することが可能になる。
【符号の説明】
【００４３】
１０  手摺笠木の上端部固定構造
１１  手摺
１２  手摺子
１３  手摺笠木
１３ａ  上端部
１３ｂ  下面部
１３ｃ  上端接合端面
１３ｄ  凸状角部
１３ｅ  下端部
１４  固定金物
１４ｄ  凹状角部
１５  端面接合プレート部
１５ａ  背面部
１５ｂ  表面部
１５ｄ  プレート部貫通孔
１５ｅ  皿穴加工部
１６  固定基台部
１６ａ  背面部
１６ｂ  一方の斜面部
１６ｃ  他方の斜面部
１６ｄ  基台部貫通孔
１６ｅ  皿穴加工部
１７  固定部材
１８  笠木接合面
１９  下端部固定ロッド
２０  木製のオープン階段
２１  一階（下階）の床部
２２  中二階（中上階）の床部
２５  ササラ桁
２６  段板
θ    階段勾配
θ’，θ”  階段勾配に９０度を加えた角度
【図１】
2015194037.tif 000003
【図２】
2015194037.tif 000004
【図３】
2015194037.tif 000005
【図４】
2015194037.tif 000006
【図５】
2015194037.tif 000007
【図６】
2015194037.tif 000008
【図７】
2015194037.tif 000009
【図８】
2015194037.tif 000010
【図９】
2015194037.tif 000011